(57)【要約】【課題】本発明は自動注射装置に関する。【解決手段】ハウジング（２）内の後退位置から突出注射位置へ、バネ（９）付勢に対して伸張可能な注射器（１）を含む注射装置。バネ付勢されるプランジャは、崩壊可能肘部（１０）を有し、前記プランジャが解放されるときに、前記注射器の端と初期係合して注射器を突出位置へ駆動し、その後に注射器の移動を抑制することにより肘部を注射器内で崩壊してプランジャの栓（３）との係合および駆動を可能にする。【選択図】図１
2012143646.tif 000002
【特許請求の範囲】
【請求項１】
ハウジング（２）内の注射器（１）の一端の針から所定投与量の液体を発射するための注射装置であって、
前記注射器はプランジャ（７）により移動可能であり、
前記プランジャは、ハウジング（２）の一端の作動付勢部材（８）の解放後に、針（５）がハウジング（２）により覆われる第一位置から針（５）がハウジング（２）の他端から突出する第二位置へ注射器（１）を移動させ、
前記プランジャは、作動付勢部材（８）の解放前には、注射器（１）の他端から延びた長手中央に位置決めされた可撓性突出部（１０）を有するロッドの形態であり、
前記プランジャ（７）の第一移動が作動付勢部材（８）の付勢下で可撓性突出部（１０）を注射器の他端（６）に対して付勢して、注射器が第一位置から第二位置へ移動するようにし、それにより注射器（１）の更なる移動を抑制し、結果として可撓突出性部が内方へ崩壊し注射器（１）へ侵入し、そのようにしてプランジャ（７）を第二移動により注射器（１）内で移動させて栓（４）に接触し作用して注射器（１）内の液体を圧縮しかつ注射器の針（５）へ液体を発現させる、注射装置。
【請求項２】
前記可撓性突出部（１０）は前記ロッド（７）の通常の周辺から突出するが、その周辺内へ圧縮可能である一つまたはそれ以上の肘部を含む、請求項１に記載の注射装置。
【請求項３】
二つの前記肘部（１０）は前記ロッド（７）の長手スリットの両側で形成されている、請求項１または２に記載の注射装置。
【請求項４】
前記肘部は、前記ロッド（７）の上中実部と下中実部との間の長手スリットの両側に、一対のアーム（１０）として予め形成されている、請求項１から３のいずれか１に記載の注射装置。
【請求項５】
前記作動付勢部材（８）が解放されるまで前記ハウジング（２）内に注射器（１）を後退維持するために、前記注射器のハウジング（２）と前記注射器の他端（６）との間に作用する復帰付勢部材（９）を含む、請求項１から４のいずれか１に記載の注射装置。
【請求項６】
前記ハウジング内に設けられた一つまたはそれ以上の付勢部材（８，９）はコイルバネの形態である、請求項１から５のいずれか１に記載の注射装置。
【請求項７】
ハウジング（２）、
覆われた後退位置と伸張した注射位置との間で移動するために前記ハウジング内に摺動自在に取り付けられた注射器（１）、
前記注射器（１）内に摺動自在に取り付けられかつ注射器（１）の先端で針（５）から液体投与量を発射するために移動自在の栓（４）、
前記栓（４）と係合して作用できる端を有しかつそこへ排除力を伝達するプランジャ（７）、および
第一位置から第二位置へ前記プランジャを移動する働きをする付勢バネ（８）を含み、  前記プランジャ（７）は、前記プランジャが第一位置のときに前記注射器の外側にある少なくとも一つの一体的に形成された崩壊可能突出領域（１０）を有し、使用時に第一位置から移動した後に、前記注射器の基端（６）と係合して前記注射器を伸張位置へ駆動し、その後に前記注射器の更なる移動を抑制し、前記崩壊可能領域を内方へ崩壊して前記プランジャを前記栓（４）に係合させかつ液体投与量を発射する、注射装置。
【発明の詳細な説明】
【技術分野】
【０００１】
本発明は自動注射装置に関する。
【背景技術】
【０００２】
種々の形態の自動注射装置が存在し、操作によって注射器の針は前方へ移動し、注射器の作動前に保護ハウジングから突出して針から所定投与量の液体を発射する。液体が加圧発射される前に、注射器が確実に前方へ移動し針を露出させ、実際の注射が行われる前に針から滴下が発生しないようにすることが重要である。
【先行技術文献】
【特許文献】
【０００３】
【特許文献１】特公昭５０−１４８３５
【特許文献２】特開平５−１６１７１２
【発明の概要】
【発明が解決しようとする課題】
【０００４】
本発明の課題は、このような所望方法で作動する機構を提供することにある。
【課題を解決するための手段】
【０００５】
本発明によれば、注射装置のハウジング内の注射器の一端の針から所定投与量の液体を発射するための注射装置が提供され、前記注射器はプランジャにより移動可能であり、前記プランジャは、前記ハウジングの一端の作動付勢部材の解放後に、針がハウジングにより覆われる第一位置から針がハウジングの他端から突出する第二位置へ前記注射器を移動させ、前記プランジャは、作動付勢部材の解放前には前記注射器の他端から延びた長手中央に位置決めされた可撓性突出部を有するロッドの形態であり、前記プランジャの第一移動が作動付勢部材の付勢下で可撓性突出部を注射器の他端に対して付勢して、注射器が第一位置から第二位置へ移動するようにし、それにより注射器の更なる移動を抑制し、結果として可撓突出性部が内方へ崩壊し注射器へ侵入し、そのようにしてプランジャを第二移動により注射器内で移動させて栓に接触し作用して注射器内の液体を圧縮しかつ注射器の針へ液体を発現させる。
【０００６】
上述の構成により、前記可撓性突出部は、かかる突出部を内方へ崩壊させ前記プランジャを注射器内へ移動させて液体を注射器から発射させる程度の力が加わるまで、第一位置から第二位置へ注射器を移動せるために、その突出位置を維持する。
【０００７】
前記可撓性突出部は前記ロッドの通常の周辺から突出するが、その周辺内へ圧縮可能である一つまたはそれ以上の肘部を含んでよい。二つの前記肘部は前記ロッドの長手スリットの両側で形成されていてよい。前記肘部は、前記ロッドの上中実部と下中実部との間の長手スリットの両側に、一対のアームとして予め形成されていてよい。
【０００８】
好適には、前記注射装置は、前記作動付勢部材が解放されるまで前記ハウジング内に注射器を後退維持するために、前記注射器のハウジングと前記注射器の他端との間に作用する復帰付勢部材を含む。
【０００９】
前記ハウジング内に設けられた一つまたはそれ以上の前記付勢部材はコイルバネの形態であってよい。
【図面の簡単な説明】
【００１０】
【図１】使用前の本発明による注射装置の断面図である。
【図２】注射部材の操作の連続工程の一工程を示す。
【図３】注射部材の操作の連続工程の一工程を示す。
【発明を実施するための形態】
【００１１】
本発明は種々の方法で実行されてよく、かつ次に好適形態を添付図面を参照して説明する。
【００１２】
図面に示された注射装置は、保護ハウジング２内に設置された注射器１を含む。注射器１は栓（bung)４により所定位置に保持される液体投与量を収容し、かつ栓４へ圧力を加えることにより投与量を発射する針５を具備した容器３を含む。前記３は拡大頭部６を有する。プランジャ７はコイルバネ８により前方へ付勢されるが、１１で概略的に示されたトリガが作動してプランジャ７およびコイルバネ８を解放するときにまで、係止位置（図１）に後退保持される。使用前に、注射器１はコイルバネ９によりハウジング２内に引っ込んでいる。
【００１３】
理解されるように、プランジャ７は一対の突出肘部１０を形成する中央部を有するロッドの形態である。突出肘部１０は成形プランジャ７の一部として予備形成される。突出肘部１０は可撓性であり、内方へ移動可能であり、ロッドの一部の周辺をロッドの残部の類似の周辺に適合させる。図２から理解されるように、プランジャ７が解放されかつバネ８により付勢されるときに、肘部１０により形成された拡大領域は３の拡大頭部６に当接し、かつ加えられる力は、拡大頭部６がハウジング２の上部に当接するまで、バネ９を圧縮するに十分であり、それにより３の移動が抑制される。肘部１０が３の内部へ侵入するときに、バネ８により生じる連続的付勢により肘部１０は内方へ圧縮される。崩壊状態の肘部１０によりプランジャ７は３内で容易に移動でき、栓４に作用して注射器の内容物を針５から発射させる。
【００１４】
プランジャ７の図示形態は、幾つかの技術的利点を提供する。プランジャ７の図示形態は一体成形できる。同様に、突出肘部の崩壊運動は、適宜発射力を提供して針を皮膚の適宜深さまで侵入させるが、注射器の容器の内壁に対する空気抵抗は比較的小さく、その一撃の残部に対するバネの推進力の大部分が栓４へ付与されるようにする。理解されるように、崩壊突出部の他の形態が崩壊肘部に代わって使用できる。
【符号の説明】
【００１５】
１    注射器
２    ハウジング
３    容器
４    栓
５    針
６    拡大頭部
７    プランジャ
１０    肘部
【図１】
2012143646.tif 000003
【図２】
2012143646.tif 000004
【図３】
2012143646.tif 000005
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
ハウジング、
前記ハウジングに対して被覆される後退位置と前記ハウジングに対して突出する発射位置との間を移動するために、前記ハウジング内に摺動自在に取り付けられた注射器、
前記注射器に摺動自在に取り付けられ、かつ前記注射器の先端に設けられた針を通って液体を前記注射器から排出するために摺動可能に取り付けられた栓、
上中実部、前記栓を移動させかつ前記栓に排出力を伝達する働きをする先端を有する下中実部、および前記上中実部と前記下中実部との間で中心軸に沿って延在する長手スリットの両側に設けられた二つの可撓性肘部を有する崩壊可能に突出する領域を含むプランジャ、
前記ハウジングに対して被覆される後退位置から突出する発射位置へ前記注射器を駆動するために前記プランジャを移動させる働きをする作動付勢部材、ならびに
前記作動付勢部材が解放されるまで前記ハウジングに対して被覆される後退位置に前記注射器を保持するために、前記ハウジングと前記注射器の基端との間で作用する復帰付勢部材を含み、
前記崩壊可能に突出する領域は前記注射器へ侵入する前に第一に膨張位置になり、かつ
前記崩壊可能に突出する領域は前記注射器内で第二に圧縮位置になり、前記圧縮位置において、前記可撓性肘部は、前記栓に排出力を付与して前記注射器から液体投与量を排出するために、前記長手スリットに向かって内方へ崩壊する、注射装置。
【請求項２】
前記プランジャの崩壊可能に突出する領域は、前記ハウジングに対して被覆される後退位置から前記ハウジングに対して突出する発射位置へ前記注射器を駆動して、前記針が前記ハウジングから突出するように構成されている、請求項１に記載の注射装置。
【請求項３】
前記作動付勢部材および前記復帰付勢部材は、一方または両方がコイルバネの形態である、請求項１に記載の注射装置。
【請求項４】
前記ハウジングは、前記注射器が前記ハウジングに対して被覆される後退位置と突出する発射位置との間を移動するときに、使用者の身体の注射部位に固定される、請求項１の注射装置。
【請求項５】
前記プランジャは一体成形されている、請求項１に記載の注射装置。